(57)【要約】【課題】  土木建築業者が保有する土木建築機械の稼動効率を良くし、レンタルコストを低減できること。【解決手段】  自己所有の遊休状態にある土木建築機械Ｍ１，Ｍ２の貸し出しを登録する貸出登録業者と、貸出登録業者の所有する遊休状態にある土木建築機械Ｍ１，Ｍ２の借入れを登録する借入登録業者とを有するレンタル業者Ｒは、遊休状態にある土木建築機械Ｍ１，Ｍ２に関する情報を保有し、借入登録業者から特定の土木建築機械Ｍ１，Ｍ２の借入れの申し込みがあったとき、貸出登録業者に土木建築機械Ｍ１，Ｍ２の借用を予約し、それを借入れ、前記借入登録業者に貸与するものである。【選択図】    図１
2004265394.tif 000002
【特許請求の範囲】
【請求項１】
土木建築機械を所有する機械所有業者であって、自己所有の遊休状態にある前記土木建築機械の貸し出しを登録する貸出登録業者と、
前記貸出登録業者の所有する遊休状態にある前記土木建築機械の借入れを登録する借入登録業者と、
前記遊休状態にある前記土木建築機械に関する情報を保有し、前記借入登録業者から特定の前記土木建築機械の借入れの申し込みがあったとき、前記貸出登録業者に当該土木建築機械の借用を予約し、それを借入れ、前記借入登録業者に貸与するレンタル業者と
を具備することを特徴とする土木建築機械の貸借方法。
【請求項２】
土木建築機械を所有する機械所有業者であって、自己所有の遊休状態にある前記土木建築機械の貸し出しを登録する貸出登録業者と、
前記貸出登録業者の所有する遊休状態にある前記土木建築機械の借入れを登録する借入登録業者と、
前記貸出登録業者及び前記借入登録業者の登録並びに前記貸出登録業者の所有する貸し出しを希望する前記土木建築機械の情報を格納し、前記借入登録業者の借入れ希望の前記土木建築機械の情報を検索自在な記憶演算装置と、
前記遊休状態にある前記土木建築機械に関する情報のみを表示し、前記借入登録業者から特定の前記土木建築機械の借入れの申し込みがあったとき、前記貸出登録業者に当該土木建築機械の借用を予約し、それを借入れ、前記借入登録業者に貸与するレンタル業者と
を具備することを特徴とする土木建築機械の貸借システム。
【請求項３】
土木建築機械を所有する機械所有業者であって、自己所有の遊休状態にある前記土木建築機械の貸し出しを登録する貸出登録業者と、
前記貸出登録業者の所有する遊休状態にある前記土木建築機械の借入れを登録する借入登録業者と、
前記貸出登録業者及び前記借入登録業者の登録並びに前記貸出登録業者の所有する貸し出しを希望する前記土木建築機械の情報を格納し、前記借入登録業者の借入れ希望の前記土木建築機械の情報をウェブ上で検索自在な記憶演算装置と、
前記遊休状態にある前記土木建築機械に関する情報のみをウェブページに掲示し、前記借入登録業者から特定の前記土木建築機械の借入れの申し込みがあったとき、前記貸出登録業者に当該土木建築機械の借用を予約し、それを借入れ、前記借入登録業者に貸与するレンタル業者と
を具備することを特徴とする土木建築機械の貸借システム。
【請求項４】
前記土木建築機械の情報は、少なくとも、当該土木建築機械の機種、仕様、貸し出し可能期間としたことを特徴とする請求項１乃至請求項３の何れか１つに記載の土木建築機械の貸借システム。
【請求項５】
更に、前記遊休状態にある前記土木建築機械の位置を地図情報として表示することを特徴とする請求項２乃至請求項４の何れか１つに記載の土木建築機械の貸借システム。
【請求項６】
前記遊休状態にある前記土木建築機械の地図情報は、その地図情報及び機種情報の一方または両方をインデックスとして、少なくとも、当該土木建築機械の機種、仕様、貸し出し可能期間、レンタル料金を表示することを特徴とする請求項２乃至請求項５の何れか１つに記載の土木建築機械の貸借システム。
【請求項７】
前記貸出登録業者が登録した前記土木建築機械は、当該土木建築機械に搭載しているナビゲーションシステムによって、現在位置をレンタル業者に連絡自在であることを特徴とする請求項２乃至請求項６の何れか１つに記載の土木建築機械の貸借システム。
【請求項８】
前記土木建築機械が搭載しているナビゲーションシステムの情報の連絡は、所定の距離移動したときのみとしたことを特徴とする請求項２乃至請求項７の何れか１つに記載の土木建築機械の貸借システム。
【請求項９】
前記土木建築機械が搭載しているナビゲーションシステムの情報の連絡は、レンタル業者からの問いかけによって応答することを特徴とする請求項２乃至請求項７の何れか１つに記載の土木建築機械の貸借システム。
【請求項１０】
前記土木建築機械が搭載しているナビゲーションシステムの情報の連絡は、前記土木建築機械が稼動を開始した時点でレンタル業者に送信することを特徴とする請求項２乃至請求項７の何れか１つに記載の土木建築機械の貸借システム。
【請求項１１】
前記土木建築機械が搭載しているナビゲーションシステムの情報の連絡は、前記土木建築機械が稼動を開始した時点でレンタル業者に送信すると共に、前回の稼動情報も送信することを特徴とする請求項２乃至請求項７の何れか１つに記載の土木建築機械の貸借システム。
【請求項１２】
前記土木建築機械が搭載しているナビゲーションシステムの情報の連絡は、前記土木建築機械が稼動を開始した時点及び当該稼動を終了した時点の稼動情報も送信することを特徴とする請求項２乃至請求項７の何れか１つに記載の土木建築機械の貸借システム。
【発明の詳細な説明】
【技術分野】
【０００１】
本発明は、建設業者等の所有する土木建築(土木・建設)機械をレンタル／リース(以下、単に、「レンタルまたはリース」を、ここでは「レンタル」という)機械として活用することができる土木建築機械の貸借方法及びその貸借システムに関するものである。
【背景技術】
【０００２】
従来は、土木建築業者が工事を行う際、工事に必要な工事用機械が不足していると、不足機械をレンタル業者から借入れ、土木建築業者は借入れた工事用機械の料金をレンタル業者に対価として支払っている。
【０００３】
一般に、レンタル業者は多数の土木建築業者を顧客にしているために、ピーク需要に近い台数の工事用機械を保有する必要があり、その稼動効率はよくなかった。したがって、レンタル料金が高くならざるを得なかった。
【０００４】
また、土木建築業者にしてみれば、取引きのあるレンタル業者の工事用機械の保有台数が少ないと、使用したいときに、必要な工事用機械を手に入れることができない可能性があることから、大規模な土木建築業者は何台かの工事用機械を保有している。
【０００５】
この種のレンタルについては、特許文献１で開示されている。
【０００６】
上記特許文献１には、レンタルされる建設機械について、稼動時間等に対するレンタル料金を設定した料金体系テーブルを予め記憶しておき、所定期間毎に建設機械から取得される稼動時間等を前記料金体系テーブルに当てはめることにより、建設機械のレンタル料金を算出し、算出されたレンタル料金を請求する発明が掲載されている。
【０００７】
また、別の特許文献２には、ネットワークサーバにレンタル対象となる建設機械の仕様に関する情報と、建設機械のレンタル状況に関する情報と所在地に関する情報とを記憶させ、レンタルを希望する者がネットワークにアクセスした際に、レンタルを希望する建設機械の仕様情報と、レンタルを希望する期間情報と、レンタルを希望する場所情報とを入力すると、これにより、ネットワークサーバがレンタルを希望する者が入力した仕様、期間、場所に関する情報を検索項目としてレンタル可能な建設機械に関する情報を検索し、その結果をレンタルを希望する者に供給する発明が開示されている。この発明は、レンタル業者が保有する建設機械のトータルの保有台数を削減でき、一般ユーザのレンタル希望に的確に対応でき、建設機械の稼働効率を高めようとするものである。
【０００８】
そして、特許文献３には、入札前の工事発注状況、季節、決算期、市況、土質等に基づく需要量予測と、移動式の機械の保有機種、場所、稼働情報、予約割り当て情報等の供給情報と、機械のレンタル拠点の情報とを考慮して、稼働時期や需要時期に応じて機械を最適に配置する機械の調達方法及びその調達システムの発明を開示している。特許文献４及び特許文献５も同じである。
【特許文献１】特開２００２−１０９０２７号公報
【特許文献２】特開２００１−３５１０２９号公報
【特許文献３】特開２００２−１５７３０２号公報
【特許文献４】特開２００２−１６３５７６号公報
【特許文献５】特開２００２−１８３５１１号公報
【発明の開示】
【発明が解決しようとする課題】
【０００９】
前述した従来技術では、レンタル業者が保有する土木建築機械の稼動効率を良くするものであるが、土木建築業者が保有している土木建築機械の稼動効率をよくするという発想が存在していない。
【００１０】
通常、土木建築業者が保有する土木建築機械の稼動効率は、当該土木建築機械を保有する土木建築業者の仕事量によって決定されていた。しかし、レンタル業者が保有する土木建築機械の稼動効率は、そのユーザを多くすることによって、比較的効率を良くしていた。
【００１１】
しかし、レンタル業者は、土木建築業者からのニーズに応じるために各種の土木建築機械を保有していた。また、各種の土木建築機械の保有のために広い保管スペースを確保し、かつ、土木建築機械の整備用に修理・整備施設を確保し、その担当従業員も確保していた。したがって、レンタル業者からレンタルする土木建築機械は、一部の土木建築機械の稼動効率が良くても、事務管理費が高価となり、レンタル料金が高価にならざるを得なかった。
【００１２】
そこで、本発明は、土木建築業者が保有する土木建築機械の稼動効率を良くし、レンタルコストを低減できる土木建築機械の貸借方法及び賃貸システムの提供を課題とするものである。
【課題を解決するための手段】
【００１３】
請求項１にかかる土木建築機械の貸借方法は、レンタル業者が、遊休状態にある土木建築機械に関する情報を、自己所有の遊休状態にある前記土木建築機械の貸し出しを希望する貸出登録業者から得ておき、前記土木建築機械の借入れを登録している借入登録業者から特定の前記土木建築機械の借入れの申し込みがあったとき、前記貸出登録業者に当該土木建築機械の借用を予約し、それを借入れ、前記借入登録業者に貸与するものである。
【００１４】
ここで、貸出登録業者と借入登録業者の登録は、コンピュータ等の記憶演算装置に入力して管理することもできるし、台帳で管理することも、カードで管理することもできるが、本発明を実施する場合には、いずれであっても良い。また、遊休状態にある土木建築機械に関する情報は、レンタル業者が直接電話で聞き取りを行っても、或いは、月、週単位に訪問して聞き取りを行っても、インターネットを介して収集しても良い。
【００１５】
また、本発明の土木建築機械は、全体をとおして、直接土木作業、建築作業に参加するブルドーザ、ユンボ等に限らず、発電機、鉄板、散水車等の間接的に使用する機械及び現場で使用される消耗品以外の材料を含むものである。
【００１６】
請求項２にかかる土木建築機械の貸借システムは、土木建築機械を所有する機械所有業者であって、自己所有の遊休状態にある前記土木建築機械の貸し出しを登録する貸出登録業者と、前記登録業者の所有する遊休状態にある前記土木建築機械の借入れを登録する借入登録業者と、前記貸出登録業者の登録及び前記借入登録業者の登録と、前記貸出登録業者の所有する貸し出しを希望する前記土木建築機械の情報を格納し、前記借入登録業者の借入れ希望の前記土木建築機械の情報を検索自在な記憶演算装置と、前記遊休状態にある前記土木建築機械に関する情報のみを表示し、前記借入登録業者から特定の前記土木建築機械の借入れの申し込みがあったとき、前記貸出登録業者に当該土木建築機械の借用を予約し、それを借入れ、前記借入登録業者にそれを貸与するレンタル業者を具備するものである。
【００１７】
ここで、貸出登録業者と借入登録業者の登録は、コンピュータに入力して管理することになる。また、遊休状態にある土木建築機械に関する情報は、レンタル業者が直接電話で聞き取りを行っても、或いは、月、週単位に訪問して聞き取りを行っても、インターネットを介して収集しても良く、結果として、それをコンピュータ等の記憶演算装置に格納できれば良い。
【００１８】
請求項３の土木建築機械の貸借システムは、土木建築機械を所有する機械所有業者であって、自己所有の遊休状態にある前記土木建築機械の貸し出しを登録する貸出登録業者と、前記登録業者の所有する遊休状態にある前記土木建築機械の借入れを登録する借入登録業者と、前記貸出登録業者の登録及び前記借入登録業者の登録と、前記貸出登録業者の所有する貸し出しを希望する前記土木建築機械の情報を格納し、前記借入登録業者の借入れ希望の前記土木建築機械の情報をインターネットのウェブ上で検索自在な記憶演算装置と、前記遊休状態にある前記土木建築機械に関する情報のみをウェブページに掲示し、前記借入登録業者から特定の前記土木建築機械の借入れの申し込みがあったとき、前記貸出登録業者に当該土木建築機械の借用を予約し、それを借入れ、前記借入登録業者に貸与するレンタル業者を具備するものである。
【００１９】
ここで、貸出登録業者と借入登録業者の登録は、コンピュータ等の記憶演算装置に入力して管理することになる。また、遊休状態にある土木建築機械に関する情報は、インターネットを介してコンピュータ等の記憶演算装置に格納できれば良い。
【００２０】
請求項４の土木建築機械の貸借システムの請求項１乃至請求項３の何れか１つに記載の前記土木建築機械の情報は、少なくとも、当該土木建築機械の機種、仕様、貸し出し可能期間、レンタル料金としたものである。
【００２１】
請求項５の土木建築機械の貸借システムは、更に、請求項２乃至請求項４の何れか１つに記載の構成に対して、前記遊休状態にある前記土木建築機械の位置を地図情報としてウェブページ等にディスプレイで表示するものである。
【００２２】
請求項６の土木建築機械の貸借システムの請求項２乃至請求項４の何れか１つに記載の前記遊休状態にある前記土木建築機械の地図情報は、その地図情報及び機種情報の一方または両方をインデックスとして、少なくとも、当該土木建築機械の機種、仕様、貸し出し可能期間をウェブページ等のディスプレイに展開表示するものである。
【００２３】
請求項７の土木建築機械の貸借システムの請求項２乃至請求項６の何れか１つに記載の前記貸出登録業者が登録した前記土木建築機械は、当該土木建築機械に搭載しているナビゲーションシステムによって、現在位置をレンタル業者に連絡自在であるものである。
【００２４】
請求項８の土木建築機械の貸借システムの請求項２乃至請求項７の何れか１つに記載の前記土木建築機械が搭載しているナビゲーションシステムの情報連絡は、所定の距離移動したときのみとしたものである。
【００２５】
請求項９の土木建築機械の貸借システムの請求項２乃至請求項７の何れか１つに記載の前記土木建築機械が搭載しているナビゲーションシステムの情報連絡は、レンタル業者からの問いかけによって応答するものである。
【００２６】
請求項１０の土木建築機械の貸借システムの請求項２乃至請求項７の何れか１つに記載の前記土木建築機械が搭載しているナビゲーションシステムの情報連絡は、前記土木建築機械が稼動を開始した時点でレンタル業者に送信するものである。
【００２７】
請求項１１の土木建築機械の貸借システムの請求項２乃至請求項７の何れか１つに記載の前記土木建築機械が搭載しているナビゲーションシステムの情報連絡は、前記土木建築機械が稼動を開始した時点でレンタル業者に送信すると共に、前回の稼動情報も送信するものである。
【００２８】
請求項１２の土木建築機械の貸借システムの請求項２乃至請求項７の何れか１つに記載の前記土木建築機械が搭載しているナビゲーションシステムの情報連絡は、前記土木建築機械が稼動を開始した時点及び当該稼動を終了した時点の稼動情報も送信するものである。
【発明の効果】
【００２９】
請求項１にかかる土木建築機械の貸借方法は、まず、土木建築機械の貸し出しを希望する貸出登録業者が、自己の所有する土木建築機械を登録し、土木建築機械の借入れを希望する借入登録業者も、それを登録する。そして、遊休状態にある土木建築機械に関する情報をレンタル業者が保有し、前記借入登録業者から特定の前記土木建築機械の借入れの申し込みがあったとき、前記貸出登録業者に当該土木建築機械の借用を予約し、それを借入れ、前記借入登録業者に貸与するものである。
【００３０】
このように、土木建築機械を購入した土木建築業者は、貸し出しを希望する貸出登録業者として登録し、遊休状態にある土木建築機械の情報をレンタル業者に伝えておけば、レンタル業者が土木建築機械を使用したいとの希望の借入登録業者からの希望により、当該レンタル業者が貸出登録業者から当該土木建築機械を借り受け、当該土木建築機械を使用したいとの希望の借入登録業者にレンタルすることができる。したがって、土木建築業者が購入した土木建築機械であっても、当該土木建築業者が使用しない期間は、他の土木建築業者の手に渡って稼動するから、当該土木建築機械の稼動効率を良くすることができる。当該土木建築機械の稼動効率を良くすることで、レンタルコストを低減でき、その需要を高めることができ、結果的に、土木建築機械のレンタルによる売り上げを高くすることができる。
【００３１】
請求項２にかかる土木建築機械の貸借システムは、まず、土木建築機械の貸し出しを希望する貸出登録業者が、自己の所有する土木建築機械を記憶演算装置に登録し、土木建築機械の借入れを希望する借入登録業者も、それを前記記憶演算装置に登録する。更に、記憶演算装置は、前記貸出登録業者の所有する貸し出しを希望する前記土木建築機械の情報を格納しておく。そして、前記借入登録業者の借入れ希望の前記土木建築機械の情報が入力されると、遊休状態にある前記土木建築機械に関する情報のみを表示し、その借入れの申し込みがレンタル業者に行われると、前記レンタル業者は前記貸出登録業者に当該土木建築機械の借用を予約し、それを借入れ、前記借入登録業者に当該土木建築機械を貸与するものである。
【００３２】
このように、土木建築機械を購入した土木建築業者は、貸し出しを希望する貸出登録業者として記憶演算装置に登録し、遊休状態にある土木建築機械の情報をレンタル業者に伝えておけば、レンタル業者が土木建築機械を使用したいとの希望の借入登録業者の希望により、レンタル業者が貸出登録業者から当該土木建築機械を借り受け、当該土木建築機械を使用したいとの希望の借入登録業者にレンタルすることができる。したがって、土木建築業者が購入した土木建築機械であっても、当該土木建築業者が使用しない期間は、他の土木建築業者の手に渡って土木建築機械が稼動するから、土木建築機械の稼動効率を良くすることができる。土木建築機械の稼動効率を良くすることで、そのレンタルコストを低減でき、その需要を高めることができ、結果的に、土木建築機械から得られる売り上げを高くすることができる。特に、記憶演算装置が貸出登録業者及び借入登録業者を管理できるからコンピュータネットワークを構築でき、記憶演算装置に格納された土木建築機械の情報によって、的確に希望に合ったものをレンタルすることができる。
【００３３】
請求項３にかかる土木建築機械の貸借システムは、まず、土木建築機械の貸し出しを希望する貸出登録業者が、自己の所有する土木建築機械を記憶演算装置に登録し、土木建築機械の借入れを希望する借入登録業者も、それを前記記憶演算装置に登録する。借入登録業者のアクセスによって、遊休状態にある土木建築機械に関する情報のみをウェブページに掲示し、前記借入登録業者から特定の前記土木建築機械の借入れの申込みがレンタル業者にあったとき、当該レンタル業者は前記貸出登録業者に当該土木建築機械の借用を予約し、それを借入れ、前記借入登録業者に貸与するものである。
【００３４】
このように、土木建築機械を購入した土木建築業者は、貸し出しを希望する貸出登録業者として記憶演算装置に登録し、遊休状態にある土木建築機械の情報をレンタル業者に伝えておけば、レンタル業者が土木建築機械を使用したいとの希望の借入登録業者の希望により、レンタル業者が貸出登録業者から土木建築機械を借り受け、それを当該土木建築機械を使用したいとの希望の借入登録業者にレンタルすることができ、しかも、それをインターネット上で決済することができる。したがって、土木建築業者が購入した土木建築機械であっても、土木建築業者が使用しない期間は、他の土木建築業者の手に渡って当該土木建築機械が稼動するから、土木建築機械の稼動効率を良くすることができる。当該土木建築機械の稼動効率を良くすることで、そのレンタルコストを低減でき、その需要を高めることができ、結果的に、土木建築機械から得られる売り上げを高くすることができる。特に、パーソナルコンピュータ等からなる記憶演算装置がインターネット上で貸出登録業者及び借入登録業者を管理できるから、工事現場であっても、インターネットを介して記憶演算装置に格納された土木建築機械の情報によって、的確に希望に合ったものをレンタルすることができる。
【００３５】
請求項４にかかる土木建築機械の貸借システムの前記土木建築機械の情報は、少なくとも、当該土木建築機械の機種、仕様、貸し出し可能期間、レンタル料金としたことを特徴とするものであるから、請求項１乃至請求項３の何れか１つに記載の効果に加えて、少なくとも、土木建築機械の機種、仕様、貸し出し可能期間、レンタル料金を基準に工事の内容、工事期間の変動、操作に慣れたものがいるか否かを判断し、ニーズに的確に合致させることができる。
【００３６】
請求項５にかかる土木建築機械の貸借システムは、更に、遊休状態にある土木建築機械の位置を地図情報として表示するものであるから、請求項２乃至請求項４の何れか１つに記載の効果に加えて、輸送コスト、輸送に伴う時間についても、判断することができ、無駄を最小限に抑えることができる。
【００３７】
請求項６にかかる土木建築機械の貸借システムの遊休状態にある土木建築機械の地図情報は、その地図情報及び機種情報の一方または両方をインデックスとして、少なくとも、当該土木建築機械の機種、仕様、貸し出し可能期間を表示するものであるから、請求項２乃至請求項５の何れか１つに記載の効果に加えて、借入登録業者のニーズにあった選択が可能である。
【００３８】
請求項７にかかる土木建築機械の貸借システムの貸出登録業者が登録した土木建築機械は、当該土木建築機械に搭載しているナビゲーションシステムによって、現在位置をレンタル業者に連絡自在であるから、請求項２乃至請求項６の何れか１つに記載の効果に加えて、登録された土木建築機械が何所に存在するかの正確な位置を確保することができる。また、レンタル業者が常に、遊休状態にあるなしにかかわらず、土木建築機械の稼動が監視でき、例えば、深夜に突然稼動を開始した場合には、盗難の可能性が高いとして、それを貸出登録業者等に連絡でき、盗難防止システムを構成することができるという、副次的効果もある。
【００３９】
請求項８にかかる土木建築機械の貸借システムの土木建築機械が搭載しているナビゲーションシステムの情報の連絡は、所定の距離移動したときのみとしたものであるから、請求項２乃至請求項７の何れか１つに記載の効果に加えて、エンジンを駆動させても稼動していないときには、位置情報に変化がないからその情報を送信しないことにより、無駄な情報処理を行わないようにすることができる。
【００４０】
請求項９にかかる土木建築機械の貸借システムの土木建築機械が搭載しているナビゲーションシステムの情報の連絡は、レンタル業者からの問いかけによって応答するものであるから、請求項２乃至請求項７の何れか１つに記載の効果に加えて、レンタル業者がポーリングまたは個別呼び出しによって、稼動中の土木建築機械の故障情報等を収集可能となり、該当する土木建築機械の評価を正しく行うことができる。
【００４１】
請求項１０にかかる土木建築機械の貸借システムの土木建築機械が搭載しているナビゲーションシステムの情報の連絡は、前記土木建築機械が稼動を開始した時点でレンタル業者に送信するものであるから、請求項２乃至請求項７の何れか１つに記載の効果に加えて、稼動開始時を正確に検出でき、故障した場合には、複数回の稼動開始により、それを判別できる。また、操縦を行う者の癖により、常に所定の位置に戻しておれば、エンジン駆動から作業開始の位置情報によって、それを確認できる。また、稼動状態も工事現場に立ち入ることなく、管理できる。
【００４２】
請求項１１にかかる土木建築機械の前記土木建築機械が搭載しているナビゲーションシステムの情報の連絡は、前記土木建築機械が稼動を開始した時点でレンタル業者に送信すると共に、前回の稼動情報も送信するものであるから、請求項２乃至請求項７の何れか１つに記載の効果に加えて、レンタル業者の所有している稼動情報と借入登録業者からの稼動報告との整合性を得ることができる。
【００４３】
請求項１２にかかる土木建築機械の前記土木建築機械が搭載しているナビゲーションシステムの情報の連絡は、前記土木建築機械が稼動を開始した時点及び当該稼動を終了した時点の稼動情報も送信するものであるから、請求項２乃至請求項７の何れか１つに記載の効果に加えて、レンタル業者の所有している稼動情報と借入登録業者からの稼動報告との整合性を得ることができる。また、稼動開始時を正確に検出でき、故障した場合には、複数回の稼動開始により、それを判別できる。そして、操縦を行う者の癖により、常に所定の位置に戻しておれば、エンジン駆動から作業開始の位置情報によって、それを確認できる。更に、稼動状態も工事現場に立ち入ることなく、管理できる。
【発明を実施するための最良の形態】
【００４４】
次に、本発明の土木建築機械の貸借方法及び土木建築機械の貸借システムの実施の形態について説明する。
【００４５】
図１は本発明の実施の形態の土木建築機械の貸借方法の各土木建築業者の所有する土木建築機械の所有を表わす説明図、図２は本発明の実施の形態の土木建築機械の貸借方法の各土木建築業者の所有する土木建築機械の所有を表わす説明図、図３は本発明の実施の形態の土木建築機械の貸借方法により、土木建築機械の貸与を表わす説明図である。
【００４６】
図１において、土木建築機械Ｍ２を所有する土木建築業者１、土木建築機械Ｍ１を所有する土木建築業者２は、共にそれら土木建築機械Ｍ１，Ｍ２の貸し出しを登録し、かつ、自己所有の土木建築機械Ｍ１，Ｍ２以外の借入れる可能性があれば、それを登録することにより、借入登録業者となる。また、自己所有の土木建築機械Ｍ１，Ｍ２が使用できる常態下にあって使用されていない遊休状態になり、その土木建築機械Ｍ１，Ｍ２の遊休状態を登録すれば、土木建築業者１と土木建築業者２は貸出登録業者となる。
【００４７】
そして、土木建築業者３は、自己で土木建築機械を有していないから、土木建築機械Ｍ１，Ｍ２の借入れを登録し、借入登録業者となったとする。
【００４８】
これによって、土木建築業者１、土木建築業者２、土木建築業者３はレンタル業者Ｒの会員となる。
【００４９】
ここで、図２に示すように、土木建築機械Ｍ２を所有する土木建築業者１、土木建築機械Ｍ１を所有する土木建築業者２は、共にそれら土木建築機械Ｍ１，Ｍ２の貸し出しが可能な遊休状態にあることを登録したとする。
【００５０】
そして、土木建築業者１が土木建築機械Ｍ１の借入れを申入れ、土木建築業者３は土木建築機械Ｍ２の借入れを申入れたとする。この借入れ申入れ期間は、土木建築業者１の土木建築機械Ｍ２は遊休状態であり、また、土木建築業者２の土木建築機械Ｍ１についても遊休状態にあるとする。
【００５１】
レンタル業者Ｒは、図３に示すように、土木建築業者１の土木建築機械Ｍ２と、土木建築業者２の土木建築機械Ｍ１の借用を、土木建築業者１及び土木建築業者３の借入れ申入れ条件に応じて、借入予約を行い、土木建築業者１と土木建築業者３の借入れ予定日（予定日まで）に、土木建築業者１に土木建築機械Ｍ１を、土木建築業者３に土木建築機械Ｍ２を届ける。
【００５２】
土木建築業者１は借入れた土木建築機械Ｍ１、土木建築業者３は土木建築機械Ｍ２を稼動させて所定の工事を行う。この工事の記録は、稼動記録計５０によって稼働時間を記録しておき、レンタル料を請求する稼働時間を得る。そして、土木建築業者１は土木建築機械Ｍ１、土木建築業者３は土木建築機械Ｍ２を稼動させ、借入れ期間が満了（工事が完了）すると、土木建築業者１と土木建築業者２に、土木建築機械Ｍ１、土木建築機械Ｍ２を返却する。
【００５３】
土木建築機械Ｍ１と土木建築機械Ｍ２の稼動記録計５０によって、レンタル期間中の稼働時間を基に、レンタル料を請求する稼働時間を得る。そして、その稼働時間に基づいて土木建築業者１は土木建築機械Ｍ１のレンタル料の支払いを行い、土木建築機械Ｍ２のレンタル料の受け取りを行う。結果、土木建築業者１は、土木建築機械Ｍ２のレンタル料の受け取りから土木建築機械Ｍ１のレンタル料を差し引いた額を手に入れることができる。土木建築業者２は土木建築機械Ｍ１のレンタル料の受け取りを行う。また、土木建築業者３は土木建築機械Ｍ２のレンタル料の支払いを行う。
【００５４】
このように、本実施の形態の土木建築機械の貸借方法は、土木建築機械Ｍ１，Ｍ２を所有する土木建築業者１及び土木建築業者２等からなる機械所有業者であって、自己所有の遊休状態にある土木建築機械Ｍ１，Ｍ２の貸し出しを登録する貸出登録業者と、前記貸出登録業者の所有する遊休状態にある土木建築機械Ｍ１，Ｍ２の借入れを登録する借入登録業者と、前記遊休状態にある土木建築機械Ｍ１，Ｍ２に関する情報を保有し、前記借入登録業者から特定の土木建築機械Ｍ１，Ｍ２の借入れの申し込みがあったとき、前記貸出登録業者に当該土木建築機械Ｍ１，Ｍ２の借用を予約し、それを借入れ、前記借入登録業者に貸与するレンタル業者Ｒとを具備するものである。
【００５５】
このように、土木建築機械Ｍ１，Ｍ２の貸し出しを希望する土木建築業者１及び土木建築業者２は、自己の所有する土木建築機械Ｍ１，Ｍ２を貸し出し可能であるとして貸出登録業者として登録する。また、必要に応じて土木建築機械Ｍ１，Ｍ２の借入れを希望する可能性があるので土木建築業者１、土木建築業者２も借入登録業者として登録する。勿論、土木建築機械Ｍ１，Ｍ２を持たない土木建築業者３は、土木建築機械Ｍ１，Ｍ２の借入れを希望するので土木建築業者３は借入登録業者として登録する。
【００５６】
そして、遊休状態にある土木建築機械Ｍ１，Ｍ２に関する情報をレンタル業者Ｒが保有し、土木建築業者１及び土木建築業者３からなる借入登録業者から特定の土木建築機械Ｍ１，Ｍ２の借入れの申し込みがあったとき、前記自己の所有する土木建築機械Ｍ１，Ｍ２を貸し出し可能であるとする土木建築業者１及び土木建築業者２の貸出登録業者に土木建築機械Ｍ１，Ｍ２の借用を予約し、それを借入れ、土木建築機械Ｍ１，Ｍ２の借入れを希望する土木建築業者１及び土木建築業者３からなる借入登録業者に貸与するものである。
【００５７】
したがって、土木建築機械Ｍ１，Ｍ２を購入した土木建築業者１及び土木建築業者３は、貸し出しを希望する貸出登録業者として登録し、遊休状態にある土木建築機械Ｍ１，Ｍ２の情報をレンタル業者Ｒに伝えておけば、当該レンタル業者Ｒが当該土木建築機械Ｍ１，Ｍ２を使用したいとの希望の借入登録業者からの希望により、当該レンタル業者Ｒが当該貸出登録業者から当該土木建築機械Ｍ１，Ｍ２を借り受け、それを当該土木建築機械Ｍ１，Ｍ２を使用したいとの希望の借入登録業者にレンタルすることができる。故に、土木建築業者１及び土木建築業者２が購入した土木建築機械Ｍ１，Ｍ２であっても、当該土木建築業者１と土木建築業者２が使用しない期間は、他の土木建築業者１と土木建築業者３の手に渡って稼動するから、当該土木建築機械Ｍ１，Ｍ２の稼動効率を良くすることができる。当該土木建築機械Ｍ１，Ｍ２の稼動効率を良くすることで、レンタルコストを低減でき、その需要を高めることができ、結果的に、土木建築機械Ｍ１,Ｍ２のレンタル料による売り上げを高くすることができる。
【００５８】
本実施の形態の貸出登録業者と借入登録業者の登録は、コンピュータで管理することもできるし、台帳、カードで管理することもできる。本発明を実施する場合には、登録会員が多くなれば、コンピュータで管理する方が効果的に登録、検索ができる。また、遊休状態にある土木建築機械Ｍ１，Ｍ２に関する情報は、レンタル業者Ｒが直接電話で聞き取りを行っても、或いは、月、週単位に訪問して聞き取りを行ってもよいが、インターネットを介して収集する方が効率的である。勿論、入力に不慣れなものの存在を加味して、訪問による聞き取りと、インターネットによる直接入力する方法とを併用するのが最も望ましい。
【００５９】
本発明の土木建築機械の貸借方法は、積極的にインターネット、イントラネット等のコンピュータネットワークを使用する方法としても対応できる。
【００６０】
即ち、本発明の土木建築機械の貸借システムは、土木建築機械Ｍ１，Ｍ２を所有する土木建築業者１及び土木建築業者２等の機械所有業者であって、自己所有の遊休状態にある土木建築機械Ｍ１，Ｍ２の貸し出しを登録する貸出登録業者と、前記貸出登録業者の所有する遊休状態にある土木建築機械Ｍ１，Ｍ２の借入れを登録する土木建築業者３のような土木建築機械を持たない借入登録業者及び／または土木建築業者１及び土木建築業者２のような土木建築機械を持っていても、持っている土木建築機械Ｍ１，Ｍ２と同種のまたはそれ以外の土木建築機械の借入れを必要に応じて行うために登録する借入登録業者と、前記貸出登録業者の登録及び前記借入登録業者の登録及び前記貸出登録業者の所有する貸し出しを希望する土木建築機械Ｍ１，Ｍ２の情報を格納し、前記借入登録業者の借入れ希望の土木建築機械Ｍ１，Ｍ２の情報を検索自在なコンピュータ等からなる記憶演算装置と、遊休状態にある土木建築機械Ｍ１，Ｍ２に関する情報のみをディスプレイで表示し、前記借入登録業者から特定の土木建築機械Ｍ１，Ｍ２の借入れの申し込みがあったとき、貸出登録業者に当該土木建築機械Ｍ１，Ｍ２の借用を予約し、それを借入れ、前記借入登録業者に貸与するレンタル業者Ｒを具備する実施の形態の構成とすることができる。
【００６１】
ここにおいても、遊休状態にある土木建築機械Ｍ１，Ｍ２に関する情報は、レンタル業者Ｒが直接電話で聞き取りを行っても、或いは、月、週単位に訪問して聞き取りを行っても、イントラネットを介して収集しても良く、結果として、それをコンピュータ等の記憶演算装置に格納できれば良い。
【００６２】
勿論、このコンピュータ管理をインターネットに搭載することもできる。
【００６３】
図４は本発明の実施の形態の土木建築機械の貸借システムのインターネットの使用形態を示す説明図で、各土木建築業者の所有するパーソナルコンピュータとサーバでネットワークが形成されている。
【００６４】
プロバイダ１００及びプロバイダ２００及びプロバイダ３００には、それぞれインターネットに加入する土木建築業者１のパーソナルコンピュータ１１、土木建築業者２のパーソナルコンピュータ２１、土木建築業者３，４，・・・のパーソナルコンピュータ３１，４１，・・・、同様に、レンタル業者Ｒには、本実施の形態の土木建築機械の貸借システムの各種データを格納するサーバ１０Ｒ及びパーソナルコンピュータ１０が接続され、コンピュータネットワークを構成している。また、レンタル業者Ｒのパーソナルコンピュータ１０には、公衆電話回線から土木建築機械Ｍ１，Ｍ２，・・・の稼動記録装置５０からの情報を入力し、それを土木建築機械Ｍ１，Ｍ２，・・・に対応付けて格納する制御装置ＲＣを有している。土木建築機械Ｍ１，Ｍ２，・・・に搭載している稼動記録装置５０は、自己に内蔵する記憶及び衛星電話回線または携帯電話回線を介して、最寄の電話局７０を介して、レンタル業者Ｒのパーソナルコンピュータ１０と交信が可能になっている。
【００６５】
また、土木建築機械Ｍ１，Ｍ２，・・・には、必要に応じてＧＰＳによって位置を測定するナビゲーションシステム６０を搭載していて、現在位置をレンタル業者Ｒのパーソナルコンピュータ１０に送信できるようになっている。なお、制御装置ＲＣは、モデム機能を有し、スキャニング、個別呼び出し等に使用するものであるが、レンタル業者Ｒのパーソナルコンピュータ１０がその機能を有しておれば、省略することが可能である。
【００６６】
次に、土木建築業者１，２，３，４，・・・のパーソナルコンピュータ１１，２１，３１，４１，・・・の動作について説明する。
【００６７】
図５は本発明の実施の形態の土木建築機械の貸借システムのインターネット使用による「ユーザ登録」プログラムのフローチャートである。図６は本発明の実施の形態の土木建築機械の貸借システムのインターネット使用による「ユーザ登録」プログラムの「ユーザ登録」画面を示すものである。
【００６８】
本実施の形態の土木建築機械の貸借システムのインターネット使用によるユーザ登録プログラムは、図示しないホームページに掲載されている。
【００６９】
まず、本実施の形態の土木建築機械の貸借システムに貸出登録業者、借入登録業者として加入しようとするユーザは、図５に示すプログラムを起動する。
【００７０】
ステップＳ０１で初期登録であるかを判断し、初期登録でないとき、このルーチンを脱する。ステップＳ０１で初期登録であると判断されたとき、ステップＳ０２で登録画面表示を行う。ステップＳ０２で行う登録画面表示は、図６の画面となる。図６に示す画像が表示され、会社名、その住所、電話番号、ＦＡＸ番号、担当者名、希望するパスワード、メールアドレス等を入力することになる。ステップＳ０３でその画面にユーザ登録に必要な各項目が完全に入力されたとき、ステップＳ０４でそのユーザ登録情報をＥＮＴＥＲキーの押圧により、保存する。保存されたユーザ登録情報は、ステップＳ０５でレンタル業者Ｒがその適否を判断し、必要に応じて調査を行なった後、適格者でないとき、ステップＳ０６で登録せずとして、その情報を格納する。また、保存されたユーザ登録情報に基づく調査結果から所定の信頼性が確保されると判断される場合には、ステップＳ０５でレンタル業者Ｒが適格者として判断し、ステップＳ０７で登録し、ステップＳ０８で当該ユーザにＩＤを送付する。このユーザに送付するＩＤは、郵送でも、直接持参でも良い。
【００７１】
これによって、本実施の形態の土木建築機械の貸借システムのレンタル業者Ｒと、貸出登録業者、借入登録業者との会員としての契約締結となる。通常、この間に、契約締結文章が表示される。
【００７２】
次に、本実施の形態の土木建築機械の貸借システムの会員としての対応について、説明する。
【００７３】
図７は本発明の実施の形態の土木建築機械の貸借システムのインターネット使用によるメインプログラムのフローチャートで、図８は同じく、インターネット使用による「メニュー」プログラムの「メニュー」画面を示すものである。
【００７４】
ステップＳ１でＩＤ入力の有無を判断し、ＩＤ入力が無い場合には、このルーチンに入らない。ＩＤ入力があり、このルーチンに入ると、ステップＳ２でメニュー画面表示を出力し、ステップＳ３でその画面から特定のメニューが選択されると、ステップＳ４でその選択されたモードを実行する。
【００７５】
このときのメニュー画面表示は、図８に示すものである。ここでは、「ユーザ管理」の欄に入力されたユーザが、「所有機械の管理」の欄に登録がないときには、一方的に借り手であると判断され、借入登録業者となる。また、「所有機械の管理」の欄に登録があるときには、貸出登録業者としての登録となっている。
【００７６】
[ユーザ登録確認]
図９は本発明の実施の形態の土木建築機械の貸借システムのインターネット使用による「ユーザ登録確認」プログラムのフローチャートである。
【００７７】
「メニュー」画面において、「ユーザ登録確認」が選択されると、図９に示すルーチンのステップＳ１０の「ユーザ登録確認」ルーチンがコールされ、ステップＳ１１で図６に示した画像が表示され、会社名、住所、電話番号、ＦＡＸ番号、担当者名・パスワード、メールアドレス等を表示する。ステップＳ１２で所定の入力が確認できると、ステップＳ１３で実行（ＥＮＴＥＲキーの押圧）することにより、このルーチンを脱する。
【００７８】
[ユーザ変更・削除]
図１０は本発明の実施の形態の土木建築機械の貸借システムのインターネット使用による「ユーザ変更・削除」プログラムのフローチャートである。
【００７９】
「メニュー」画面において、「ユーザ変更・削除」が選択されると、図１０に示すルーチンのステップＳ２０の「ユーザ変更・削除」ルーチンがコールされ、ステップＳ２１で図６に示す画像が表示され、会社名、担当営業所、パスワード、メールアドレス等の変更、削除に必要な事項を入力する。ステップＳ２２で所定の入力が完了したと判断されたとき、ステップＳ２３で実行をクリックすることにより、ステップＳ２４で適正入力が確認されると、ステップＳ２５で図６の「ユーザ登録」画面を再度登録し、ステップＳ２６で実行をクリックすることにより、このルーチンを脱する。なお、ステップＳ２４で適正入力が確認されないと、このルーチンを脱する。
【００８０】
[スタッフ登録・変更]
図１１は本発明の実施の形態の土木建築機械の貸借システムのインターネット使用による「スタッフ登録・変更」プログラムのフローチャート、図１２は同じく、インターネット使用による「スタッフ登録・変更」プログラムの「スタッフ登録・変更」画面を示すものである。
【００８１】
「メニュー」画面において、「スタッフ登録・変更」が選択されると、図１１に示すルーチンのステップＳ３０の「スタッフ登録・変更」ルーチンがコールされ、ステップＳ３１で図１２に示す画像が表示され、担当者等を入力する。ステップＳ３２で所定の入力が完了したと判断されたとき、ステップＳ３３で実行をクリックすることにより、このルーチンを脱する。
【００８２】
[所有機械の登録・変更・削除]
図１３は本発明の実施の形態の土木建築機械の貸借システムのインターネット使用による「所有機械の登録・変更・削除」プログラムのフローチャート、図１４は同じく、インターネット使用による「所有機械の登録・変更・削除」プログラムの「所有機械の登録・変更・削除」画面を示すものである。また、図１５は同じく、インターネット使用による「機種名」の表の画面を示すものである。
【００８３】
「メニュー」画面において、「所有機械の登録・変更・削除」が選択されると、図１３に示すルーチンのステップＳ４０の「所有機械の登録・変更・削除」ルーチンがコールされ、ステップＳ４１で図１４に示す画像が表示され、機種名の入力は、図１５の機種名表から所定の機種をクリックすることによって選択する。機種名を特定する図１５の表を使用することにより、特定機種をインデックスとする選択を容易にしている。機種名、型式、メーカ名、県名等を入力し、ステップＳ４２で所定の入力が完了したと判断されたとき、ステップＳ４３で実行をクリックすることにより、ステップＳ４４で適正入力であることが確認されると、ステップＳ４５で図１４の「所有機械の登録・変更・削除」画面を登録し、ステップＳ４６で実行をクリックすることにより、このルーチンを脱する。なお、ステップＳ４４で適正入力が確認されないと、このルーチンを脱する。
【００８４】
[現在稼動リスト]
図１６は本発明の実施の形態の土木建築機械の貸借システムのインターネット使用による「現在稼動リスト」プログラムのフローチャート、図１７は同じく、インターネット使用による「現在稼動リスト」プログラムの「現在稼動リスト」画面を示すものである。
【００８５】
「メニュー」画面において、「現在稼動リスト」が選択されると、図１６に示すルーチンのステップＳ５０の「現在稼動リスト」ルーチンがコールされ、ステップＳ５１で営業所名、県名、借入登録業者、貸出登録業者の１つ以上を入力し、ステップＳ５２で検索を実行させると、ステップＳ５３で図１７に示す現在レンタルによって稼動しているリストの画像が表示される。
【００８６】
[遊休期間の報告]
図１８は本発明の実施の形態の土木建築機械の貸借システムのインターネット使用による「遊休期間の報告」プログラムのフローチャート、図１９は同じく、インターネット使用による「遊休期間の報告」プログラムの「遊休期間の報告」画面を示すものである。
【００８７】
「メニュー」画面において、「遊休期間の報告」が選択されると、図１８に示すルーチンのステップＳ６０の「遊休期間の報告」ルーチンがコールされ、ステップＳ６１で図１９に示す画像が表示され、まず、機種名を図１５の表から選択する。次に、遊休期間の開始から終了を入力する。ステップＳ６２で入力の完了が確認されると、ステップＳ６３でそれを実行することにより、登録される。
【００８８】
[遊休期間の変更]
図２０は本発明の実施の形態の土木建築機械の貸借システムのインターネット使用による「遊休期間の変更」プログラムのフローチャートである。
【００８９】
「メニュー」画面において、「遊休期間の変更」が選択されると、図２０に示すルーチンのステップＳ７０の「遊休期間の変更」ルーチンがコールされ、ステップＳ７１で図１９に示す画像が表示され、まず、機種名を図１５の表から選択する。次に、遊休期間の開始から終了を入力する。ステップＳ７２で入力の完了が確認されると、ステップＳ７３でそれを実行する。ところが、既に、レンタル契約が成立している可能性があるので、ステップＳ７４でレンタル契約に当該機種が予定されているか。或いは、既に稼動済みであるかを確認し、レンタル契約に当該機種が予定されていなかったり、稼動されていないとき、その変更を許容し、ステップＳ７５で図１９に示す画像に書き込まれた情報を登録する。
【００９０】
しかし、レンタル契約に当該機種が予定されているとき、既に稼動済みであるとき、変更は一方的に決定できないから、ステップＳ７６で変更可能期間の検索を行い、単純に期間のみでなく、機種の置き換えとしても可能であるか判断し、変更可能期間の表示を行い、ステップＳ７７でその表示結果が了解できれば、ステップＳ７９で変更書き込みを行う。しかし。それが不可能な場合には、ステップＳ７８で代替機でよいのか、期間の融通ができないのかの人為的調整を行い、このルーチンを脱する。
【００９１】
[借入期間の申込み]
図２１は本発明の実施の形態の土木建築機械の貸借システムのインターネット使用による「借入期間の申込み」プログラムのフローチャートである。
【００９２】
「メニュー」画面において、「借入期間の申込み」が選択されると、図２１に示すルーチンのステップＳ８０の「借入期間の申込み」ルーチンがコールされ、ステップＳ８１で図１９に示す画像が表示され、まず、機種を図１５の表から選択し、次に、可能であればメーカ名も選択対象とする。現場、使用期間の開始から終了を入力する。ステップＳ８２で入力の完了が確認されると、ステップＳ８３でそれを実行することにより、登録される。
【００９３】
[借入期間の変更]
図２２は本発明の実施の形態の土木建築機械の貸借システムのインターネット使用による「借入期間の変更」プログラムのフローチャートである。
【００９４】
「メニュー」画面において、「借入期間の変更」が選択されると、図２２に示すルーチンのステップＳ９０の「借入期間の変更」ルーチンがコールされ、ステップＳ９１で図１９に示す画像が表示され、まず、機種を図１５の表から選択する。次に、遊休期間の開始から終了を入力する。ステップＳ９２で入力の完了が確認されると、ステップＳ９３でそれを実行する。既に予定されてレンタル契約が成立しているから、ステップＳ９４で既に契約しているレンタル契約に支障があるか否かを確認し、レンタル契約に当該機種の稼動が予定さていないとき、ステップＳ９５でその変更を許容し、図１９に示す画像に書き込まれた情報を登録する。
【００９５】
しかし、レンタル契約に当該機種が予定されているとき、変更は一方的に決定できないから、ステップＳ９６で変更可能期間の検索を行う。このとき、単純に期間のみでなく、機種の置き換えとしても可能であるか判断し、変更可能期間の表示を行い、ステップＳ９７でその表示結果で了解できれば、ステップＳ９９で変更書き込みを行う。しかし。それが不可能な場合には、ステップＳ９８で人為的調整を行い、このルーチンを脱する。
【００９６】
このように、本実施の形態の土木建築機械の貸借システムは、土木建築機械Ｍ１，Ｍ２，・・・等を所有する土木建築業者１，２，３，・・・等の機械所有業者であって、自己所有の遊休状態にある土木建築機械Ｍ１，Ｍ２，・・・の貸し出しを登録する貸出登録業者と、貸出登録業者の所有する遊休状態にある土木建築機械Ｍ１，Ｍ２，・・・の借入れを登録する借入登録業者と、前記貸出登録業者及び前記借入登録業者の登録並びに前記貸出登録業者の所有する貸し出しを希望する土木建築機械Ｍ１，Ｍ２，・・・の情報を格納し、前記借入登録業者の借入れ希望の土木建築機械Ｍ１，Ｍ２，・・・の情報をウェブ上で検索自在なネットワーク接続されたパーソナルコンピュータ１０，１１，２１，３１，４１，・・・及びサーバ１０Ｒ(プロバイダーのサーバでも可)等からなる記憶演算装置と、前記遊休状態にある土木建築機械Ｍ１，Ｍ２，・・・に関する情報のみをウェブページに掲示し、借入登録業者から特定の土木建築機械Ｍ１，Ｍ２，・・・の借入れの申し込みがあったとき、貸出登録業者に当該土木建築機械Ｍ１，Ｍ２，・・・の借用を予約し、それを借入れ、前記借入登録業者に貸与するレンタル業者とを具備するものである。
【００９７】
この実施の形態の土木建築機械の貸借システムは、土木建築機械Ｍ１，Ｍ２，・・・の貸し出しを希望する貸出登録業者が、自己の所有する土木建築機械Ｍ１，Ｍ２，・・・を記憶演算装置に登録し、土木建築機械Ｍ１，Ｍ２，・・・の借入れを希望する借入登録業者も、それを記憶演算装置に登録する。借入登録業者のアクセスによって、遊休状態にある土木建築機械Ｍ１，Ｍ２，・・・に関する情報のみをインターネットのホームページを含むウェブページに掲示し、前記借入登録業者から特定の土木建築機械Ｍ１，Ｍ２，・・・の借入れの申込みがレンタル業者Ｒにあったとき、当該レンタル業者Ｒは前記貸出登録業者に当該土木建築機械Ｍ１，Ｍ２，・・・の借用を予約し、それを借入れ、それを前記借入登録業者に貸与することができる。
【００９８】
このように、土木建築機械Ｍ１，Ｍ２，・・・を購入した土木建築業者１，２，３，４，・・・は、貸し出しを希望する貸出登録業者としてパーソナルコンピュータ等の記憶演算装置に登録し、遊休状態にある土木建築機械Ｍ１，Ｍ２，・・・の情報をレンタル業者Ｒに伝えておけば、当該レンタル業者Ｒが当該土木建築機械Ｍ１，Ｍ２，・・・を使用したいとの希望の借入登録業者の希望により、当該レンタル業者Ｒが当該貸出登録業者から当該土木建築機械Ｍ１，Ｍ２，・・・を借り受け、それを当該土木建築機械Ｍ１，Ｍ２，・・・を使用したいとの希望の借入登録業者にレンタルすることができ、しかも、それをインターネット上で決済することができる。したがって、土木建築業者１，２，３，４，・・・が購入した土木建築機械Ｍ１，Ｍ２，・・・であっても、当該土木建築業者１，２，３，４，・・・が使用しない期間は、他の土木建築業者１，２，３，４，・・・の手に渡って当該土木建築機械Ｍ１，Ｍ２，・・・が稼動するから、当該土木建築機械Ｍ１，Ｍ２，・・・の稼動効率を良くすることができる。当該土木建築機械Ｍ１，Ｍ２，・・・の稼動効率を良くすることで、そのレンタルコストを低減でき、その需要を高めることができ、結果的に、土木建築機械Ｍ１，Ｍ２，・・・から得られる売り上げを高くすることができる。特に、パーソナルコンピュータ等の記憶演算装置がインターネット上で貸出登録業者及び借入登録業者を管理できるから、工事現場であっても、インターネットを介してパーソナルコンピュータ等の記憶演算装置に格納された土木建築機械Ｍ１，Ｍ２，・・・の情報によって、的確に希望に合ったものをレンタルすることができる。
【００９９】
上記実施の形態の土木建築機械の貸借システムの前記土木建築機械Ｍ１，Ｍ２，・・・の情報は、少なくとも、当該土木建築機械Ｍ１，Ｍ２，・・・の機種、仕様、貸し出し可能期間、必要に応じてレンタル料金としたことを特徴とするものであるから、少なくとも、土木建築機械Ｍ１，Ｍ２，・・・の機種、仕様、貸し出し可能期間、必要に応じてレンタル料金を基準に工事の内容、工事期間の変動、操作に慣れたものがいるか否かを判断し、ニーズに的確に合致させることができる。
【０１００】
上記実施の形態の土木建築機械の貸借システムは、更に、遊休状態にある土木建築機械Ｍ１，Ｍ２，・・・の位置をナビゲーションシステム６０から出力される信号を収集して、地図情報として表示させることもできる。特に、遊休状態にある土木建築機械Ｍ１，Ｍ２，・・・の位置を地図情報として表示するものとして実施すれば、輸送コスト、輸送に伴う時間についても、容易に判断することができ、無駄を最小限に抑えることができる。
【０１０１】
また、この場合の上記実施の形態の土木建築機械の貸借システムの遊休状態にある土木建築機械の地図情報は、その地図情報及び機種情報の一方または両方をインデックスとして、少なくとも、当該土木建築機械の機種、仕様、貸し出し可能期間、レンタル料金を表示することができるから、借入登録業者のニーズにあった選択が可能となる。
【０１０２】
上記実施の形態の土木建築機械の貸借システムの貸出登録業者が登録した土木建築機械Ｍ１，Ｍ２，・・・は、当該土木建築機械Ｍ１，Ｍ２，・・・に搭載している人工衛星を用いたナビゲーションシステム６０によって、現在位置をレンタル業者Ｒに連絡自在であるから、登録された土木建築機械Ｍ１，Ｍ２，・・・が何所に存在するかの正確な位置を確保することができる。また、レンタル業者Ｒが常に、遊休状態にあるなしにかかわらず、土木建築機械Ｍ１，Ｍ２，・・・の稼動が監視でき、例えば、深夜に突然稼動を開始した場合には、盗難の可能性が高いとして、それを貸出登録業者等に連絡でき、盗難防止システムを構成することができるという、副次的効果もある。
【０１０３】
上記実施の形態の土木建築機械の貸借システムの土木建築機械Ｍ１，Ｍ２，・・・が搭載している人工衛星を用いたナビゲーションシステム６０の情報の連絡は、所定の距離移動したときのみとしたものであるから、エンジンを駆動させても稼動していないときには、位置情報に変化がないからその情報を送信しないことにより、無駄な情報処理を行わないようにすることができる。また、土木建築機械Ｍ１，Ｍ２，・・・が搭載しているＧＰＳ情報の連絡は、レンタル業者Ｒからの問いかけによって応答するものであれば、レンタル業者Ｒがスキャニング、ポーリングまたは個別呼び出しによって、稼動中の土木建築機械Ｍ１，Ｍ２，・・・の故障情報等を収集可能となり、該当する土木建築機械Ｍ１，Ｍ２，・・・の評価を正しく行うことができる。
【０１０４】
上記実施の形態の土木建築機械の貸借システムの土木建築機械が搭載しているナビゲーションシステム６０の情報の連絡は、前記土木建築機械Ｍ１，Ｍ２，・・・が稼動を開始した時点でレンタル業者Ｒに送信するものであるから、稼動開始時を正確に検出でき、故障した場合には、複数回の稼動開始により、それを判別できる。また、操縦を行う者の癖により、常に所定の位置に戻しておれば、エンジン駆動から作業開始の位置情報によって、それを確認できる。また、稼動状態も工事現場に立ち入ることなく、管理できる。
【０１０５】
上記実施の形態の土木建築機械の貸借システムの土木建築機械Ｍ１，Ｍ２，・・・が搭載しているナビゲーションシステム６０の情報の連絡は、前記土木建築機械Ｍ１，Ｍ２，・・・が稼動を開始した時点でレンタル業者Ｒに送信すると共に、前回の稼動情報も送信するものであるから、レンタル業者Ｒの所有している稼動情報と借入登録業者からの稼動報告との整合性を得ることができる。また、上記実施の形態の土木建築機械の貸借システムの土木建築機械Ｍ１，Ｍ２，・・・が搭載しているナビゲーションシステム６０の情報の連絡は、前記土木建築機械Ｍ１，Ｍ２，・・・が稼動を開始した時点及び当該稼動を終了した時点の稼動情報も送信するものであるから、レンタル業者Ｒの所有している稼動情報と借入登録業者からの稼動報告との整合性を得ることができる。また、稼動開始時を正確に検出でき、故障した場合には、複数回の稼動開始により、それを判別できる。そして、操縦を行う者の癖により、常に所定の位置に戻しておれば、エンジン駆動から作業開始の位置情報によって、それを確認できる。更に、稼動状態も工事現場に立ち入ることなく、管理できる。
【０１０６】
以上のように、上記実施の形態の土木建築機械の貸借システムは、借入登録業者に対し土木建築機械Ｍ１，Ｍ２，・・・を貸し出すことで、土木建築業者１，２，３，４，・・・の所有する土木建築機械Ｍ１，Ｍ２，・・・全体の稼働率の向上効果がある。
【０１０７】
また、土木建築業者１，２，３，４，・・・の所有する土木建築機械Ｍ１，Ｍ２，・・・を、借入登録業者に対しレンタル機械として貸し出すことにより、土木建築業者１，２，３，４，・・・の所有する土木建築機械Ｍ１，Ｍ２，・・・の自然劣化(稼動しないことで起こる劣化現象)を抑制する効果がある。
【０１０８】
そして、貸出登録業者及び借入登録業者は、従来のレンタル業者Ｒは設備投資を行う必要がなく、土木建築機械Ｍ１，Ｍ２，・・・の借入を希望する土木建築業者１，２，３，４，・・・に対して安価に土木建築機械Ｍ１，Ｍ２，・・・の貸出を行うことができる。また、借入登録業者に対し所有する土木建築機械Ｍ１，Ｍ２，・・・を貸し出した土木建築業者１，２，３，４，・・・が、精算方法を任意で貸し借りを相殺する精算方法を選択可能であり、所有する土木建築機械Ｍ１，Ｍ２，・・・が連休化することなく、かつ、借入機械の代替となる効果がある。
【０１０９】
更に、貸出登録業者への土木建築機械Ｍ１，Ｍ２，・・・の貸出希望の注文及び借入希望の注文は、通信ネットワークを介したパーソナルコンピュータに接続されたディスプレイ上での調整により２４時間体制で注文受付が可能であり、利用する土木建築業者１，２，３，４，・・・は時間的制約を受けることなく検索・予約・注文を行うことができ、賃貸業務を簡略化することができる。
【０１１０】
加えて、借入登録業者が土木建築機械Ｍ１，Ｍ２，・・・を所有する土木建築業者１，２，３，４，・・・と、土木建築機械Ｍ１，Ｍ２，・・・の借入を希望する土木建築業者１，２，３，４，・・・に対し、貸し借りすることを前提としたレンタル方法であり、土木建築業者１，２，３，４，・・・の所有する土木建築機械Ｍ１，Ｍ２，・・・の遊休化の抑制と、土木建築機械Ｍ１，Ｍ２，・・・の貸出による生産性の向上と、土木建築業者１，２，３，４，・・・が経済的負担を抑えて土木建築機械Ｍ１，Ｍ２，・・・の借入を行うことによるレンタル経費の抑制と、貸出代金と借入代金の相殺を前提とした相殺型精算方法と、通信ネットワークを介したパーソナルコンピュータに接続されているディスプレイ上で貸出希望の注文と借入希望の注文を行うことで実現する貸借手続業務の簡略化等の効果がある。
【０１１１】
勿論、上記実施の形態では説明しなかったが、レンタル業者Ｒが複数の土木建築機械Ｍ１，Ｍ２，・・・を所有し、借入の調整にその土木建築機械Ｍ１，Ｍ２，・・・を使用することもできる。
【産業上の利用可能性】
【０１１２】
本発明の実施の形態の土木建築機械の貸借方法は、土木分野、建築(建設)分野で使用される材料及び機械について説明したが、農業機械、その他、工場で使用される産業機械、ＯＡ機器にも拡大して使用することが可能である。即ち、現在リースまたはレンタルとなっている機械器具については、適用できる機械・機器・材利の貸借方法技術、例えば、産業機械の貸借方法、ＯＡ機器の貸借方法、農業機械の貸借方法として使用できる。
【図面の簡単な説明】
【０１１３】
【図１】図１は本発明の実施の形態の土木建築機械の貸借方法の各土木建築業者の所有する土木建築機械の所有を表わす説明図である。
【図２】図２は本発明の実施の形態の土木建築機械の貸借方法の各土木建築業者の所有する土木建築機械の所有を表わす説明図である。
【図３】図３は本発明の実施の形態の土木建築機械の貸借方法により、土木建築機械の貸与を表わす説明図である。
【図４】図４は本発明の実施の形態の土木建築機械の貸借システムのインターネットの使用形態を示す説明図である。
【図５】図５は本発明の実施の形態の土木建築機械の貸借システムのインターネット使用による「ユーザ登録」プログラムのフローチャートである。
【図６】図６は本発明の実施の形態の土木建築機械の貸借システムのインターネット使用による「ユーザ登録」プログラムの「ユーザ登録」画面を示すものである。
【図７】図７は本発明の実施の形態の土木建築機械の貸借システムのインターネット使用によるメインプログラムのフローチャートである。
【図８】図８は同じく、インターネット使用による「メニュー」プログラムの「メニュー」画面を示すものである。
【図９】図９は本発明の実施の形態の土木建築機械の貸借システムのインターネット使用による「ユーザ登録確認」プログラムのフローチャートである。
【図１０】図１０は本発明の実施の形態の土木建築機械の貸借システムのインターネット使用による「ユーザ変更・削除」プログラムのフローチャートである。
【図１１】図１１は本発明の実施の形態の土木建築機械の貸借システムのインターネット使用による「スタッフ登録・変更」プログラムのフローチャートである。
【図１２】図１２は同じく、インターネット使用による「スタッフ登録・変更」プログラムの「スタッフ登録・変更」画面を示すものである。
【図１３】図１３は本発明の実施の形態の土木建築機械の貸借システムのインターネット使用による「所有機械の登録・変更・削除」プログラムのフローチャートである。
【図１４】図１４は同じく、インターネット使用による「所有機械の登録・変更・削除」プログラムの「所有機械の登録・変更・削除」画面を示すものである。
【図１５】図１５は同じく、インターネット使用による「機種名表」画面を示すものである。
【図１６】図１６は本発明の実施の形態の土木建築機械の貸借システムのインターネット使用による「現在稼動リスト」プログラムのフローチャートである。
【図１７】図１７は同じく、インターネット使用による「現在稼動リスト」プログラムの「現在稼動リスト」画面を示すものである。
【図１８】図１８は本発明の実施の形態の土木建築機械の貸借システムのインターネット使用による「遊休期間の報告」プログラムのフローチャートである。
【図１９】図１９は同じく、インターネット使用による「遊休期間の報告」プログラムの「遊休期間の報告」画面を示すものである。
【図２０】図２０は本発明の実施の形態の土木建築機械の貸借システムのインターネット使用による「遊休期間の報告」プログラムのフローチャートである。
【図２１】図２１は本発明の実施の形態の土木建築機械の貸借システムのインターネット使用による「借入期間の申込み」プログラムのフローチャートである。
【図２２】図２２は本発明の実施の形態の土木建築機械の貸借システムのインターネット使用による「借入期間の変更」プログラムのフローチャートである。
【符号の説明】
【０１１４】
１，２，３，４，・・・    土木建築業者
Ｍ１，Ｍ２，・・・  土木建築機械
Ｒ      レンタル業者
１０，１１，２１，３１，４１，・・・  パーソナルコンピュータ
１０Ｒ    サーバ
ＲＣ      制御装置
５０      稼動記録装置
６０      ナビゲーションシステム
【図１】
2004265394.tif 000003
【図２】
2004265394.tif 000004
【図３】
2004265394.tif 000005
【図４】
2004265394.tif 000006
【図５】
2004265394.tif 000007
【図６】
2004265394.tif 000008
【図７】
2004265394.tif 000009
【図８】
2004265394.tif 000010
【図９】
2004265394.tif 000011
【図１０】
2004265394.tif 000012
【図１１】
2004265394.tif 000013
【図１２】
2004265394.tif 000014
【図１３】
2004265394.tif 000015
【図１４】
2004265394.tif 000016
【図１５】
2004265394.tif 000017
【図１６】
2004265394.tif 000018
【図１７】
2004265394.tif 000019
【図１８】
2004265394.tif 000020
【図１９】
2004265394.tif 000021
【図２０】
2004265394.tif 000022
【図２１】
2004265394.tif 000023
【図２２】
2004265394.tif 000024